(57)【要約】【課題】経皮内視鏡的胃瘻造設口用サポートバンドの提供。【解決手段】この経皮内視鏡的胃瘻造設口用サポートバンドは、ＰＥＧ手術（経皮内視鏡的胃瘻造設術）の患者に応用され、それは、常態で患者の胴部に装着され、且つ装着後に全体外観が胴部バンドの態様を形成し、患者の腹部（胃付近に位置する）の術後に露出したフィーディングチューブ（胃瘻チューブ又はＰＥＧチューブ）を固定及び収納でき、患者が不注意から引っ張ってフィーディングチューブが脱落する状況を防止する。【選択図】図２
0003161653.tif 000002
【実用新案登録請求の範囲】
【請求項１】
患者の胴部に装着される経皮内視鏡的胃瘻造設口用サポートバンドにおいて、
束帯であって、平面に貫通孔が形成され、該貫通孔の周囲に対応スライドファスナー部が縫いつけられた、上記束帯と、
該束帯の両側にそれぞれ縫いつけられた粘着部と対応粘着部と、
被覆部であって、該貫通孔の外周縁に組み合わされ、該被覆部の側辺周囲に沿ってスライドファスナー部が縫いつけられ、該スライドファスナー部が該対応スライドファスナー部と開閉自在に閉じ合わせられる、上記被覆部と、
を包含したことを特徴とする、経皮内視鏡的胃瘻造設口用サポートバンド。
【請求項２】
請求項１記載の経皮内視鏡的胃瘻造設口用サポートバンドにおいて、該粘着部が面ファスナーとされたことを特徴とする、経皮内視鏡的胃瘻造設口用サポートバンド。
【請求項３】
請求項１記載の経皮内視鏡的胃瘻造設口用サポートバンドにおいて、該対応粘着部が対応面ファスナーとされたことを特徴とする、経皮内視鏡的胃瘻造設口用サポートバンド。
【請求項４】
患者の胴部に装着される経皮内視鏡的胃瘻造設口用サポートバンドにおいて、
束帯であって、平面に貫通孔が形成され、該貫通孔の周囲に止め合わせ部が設けられた、上記束帯と、
該束帯の両側にそれぞれ縫いつけられた粘着部と対応粘着部と、
被覆部であって、該貫通孔の外周縁に組み合わされ、該被覆部の側辺周囲に沿って該貫通孔の周囲に複数の対応止め合わせ部が組み合わされた、上記被覆部と、
を包含したことを特徴とする、経皮内視鏡的胃瘻造設口用サポートバンド。
【請求項５】
請求項４記載の経皮内視鏡的胃瘻造設口用サポートバンドにおいて、該対応止め合わせ部がボタンとされたことを特徴とする、経皮内視鏡的胃瘻造設口用サポートバンド。
【請求項６】
請求項４記載の経皮内視鏡的胃瘻造設口用サポートバンドにおいて、該止め合わせ部がボタンホールとされたことを特徴とする、経皮内視鏡的胃瘻造設口用サポートバンド。
【請求項７】
患者の胴部に装着される経皮内視鏡的胃瘻造設口用サポートバンドにおいて、
束帯であって、平面に貫通孔が形成され、該貫通孔の周囲に面ファスナーが設けられた、上記束帯と、
該束帯の両側にそれぞれ縫いつけられた粘着部と対応粘着部と、
被覆部であって、該貫通孔の外周縁に組み合わされ、該被覆部の側辺周囲に沿って該貫通孔の周囲に複数の対応面ファスナーが組み合わされた、上記被覆部と、
を包含したことを特徴とする、経皮内視鏡的胃瘻造設口用サポートバンド。
【考案の詳細な説明】
【技術分野】
【０００１】
本考案は一種の経皮内視鏡的胃瘻造設口用サポートバンドに係り、人体の腹部に装着でき、特に、フィーディングチューブを有効に固定及び収納できる経皮内視鏡的胃瘻造設口用サポートバンドに関する。
【背景技術】
【０００２】
食事のできない患者は、一般には鼻からチューブで胃に食事を輸送する。しかし、長期に鼻にチューブを通すことは、見た目が悪いほか、胃出血、食道出血、胃食道逆流による食道炎等の併発症状を引き起こしやすい。このため、欧米では長期にフィーディングチューブを利用して患者に食事を与えられるようにするための手術、すなわち経皮内視鏡的胃瘻造設術（ｐｅｒｃｕｔａｎｅｏｕｓ  ｅｎｄｏｓｃｏｐｉｃ  ｇａｓｔｒｏｓｓｔｏｍｙ）略称ＰＥＧが研究開発された。
【０００３】
図１を参照されたい。図１はＰＥＧ手術完成表示図であり、図中に示されるように、患者の腹部１０に、胃に通じる穿孔１１が開けられ、さらに、フィーディングチューブ１２（或いはＰＥＧチューブ）が腹部１０より直接胃部１３へと通され、これにより食事を流し込める。本図からわかるように、フィーディングチューブ１２が胃部１３に差し込まれた後、その管体に取り付けられた二つの固定器１２１、１２１’が、それぞれ腹部１０の表面と胃部１３の内壁に固定され、これによりフィーディングチューブ１２が常態下で患者の腹部１０に固定される。さらに本図に示されるように、フィーディングチューブ１２のそのうち一端は、入口１２２とされ、フィード時には、入口１２２より流動食品或いはその他の栄養物が投入される。これにより、入口１２２は常態下で腹部１０表面に露出している。フィーディングチューブ１２のぐらつきを防止するため、固定器１２１は腹部１０表面と通気性テープ１４で固定される。しかし、通気性テープ１４を長期に貼ることにより、腹部１０表面の皮膚の障害を形成し得て、厳重な場合は、糜爛を形成し、且つ一部の重傷患者は無意識下で手で入口１２２を引っかくことがあり、また、看護者が患者の移動を補助する時に、不注意からフィーディングチューブ１２を引張って、フィーディングチューブ１２を脱落させやすく、危険を形成する。
【考案の概要】
【考案が解決しようとする課題】
【０００４】
上述の問題を鑑み、本考案の目的は、人体腹部に装着でき、有効にフィーディングチューブの引張りによる脱落を防止できる経皮内視鏡的胃瘻造設口用サポートバンドを提供することにある。
【課題を解決するための手段】
【０００５】
上述の目的を達成するため、本考案の経皮内視鏡的胃瘻造設口用サポートバンドは、束帯の平面に貫通孔が形成され、この貫通孔にフィーディングチューブの入口を通すことができ、並びに通した後に、束帯両側の粘着部と対応粘着部を粘着させれば、束帯を常態下で患者の腹部に装着でき、入口を不使用の時は、管体を整然と巻回し、被覆部を利用して管体全体を被覆でき、これにより、有効に腹部外のフィーディングチューブの露出を防止し、外力の引張りによる脱落状況の発生を防止する。
【考案の効果】
【０００６】
本考案の経皮内視鏡的胃瘻造設口用サポートバンドは、実施後に、被覆部と束帯表面の間に、収容空間が形成され、フィーディングチューブの管体を巻いて収容空間内部に収容でき、並びに被覆部でフィーディングチューブの管体全体を被覆することができ、確実に、フィーディングチューブの引っ張りによる脱落を防止できる。
【図面の簡単な説明】
【０００７】
【図１】ＰＥＧ手術完成表示図である。
【図２】本考案の立体表示図である。
【図３】本考案の実施表示図（一）である。
【図４】本考案の実施表示図（二）である。
【図５】本考案の実施表示図（三）である。
【図６】本考案の実施表示図（四）である。
【図７】本考案の好ましい実施例図（一）である。
【図８】本考案の好ましい実施例図（二）である。
【考案を実施するための形態】
【０００８】
図２を参照されたい。図２は本考案の立体図であり、図中に示される経皮内視鏡的胃瘻造設口用サポートバンド２０は、束帯２０１の平面上に貫通孔２０２が形成されている。貫通孔２０２の周囲の適当な位置に、被覆部２０３が縫いつけられ、この被覆部２０３は貫通孔２０２に対して開閉可能とされ、且つ被覆部２０３の側辺にスライドファスナー部２０３１が縫いつけられ、貫通孔２０２の周囲には対応スライドファスナー部２０４が縫いつけられ、スライドファスナー部２０３１とそれに対応スライドファスナー部２０４がスライドファスナー２０５により結合可能とされ、これにより被覆部２０３と束帯２０１が一体とされる。さらに、束帯２０１の正面の一側に、粘着部２０６（例えば面ファスナー）が縫いつけられ、束帯２０１の背面には対応粘着部２０７が縫いつけられ（例えば対応面ファスナー）が縫いつけられ、粘着部２０６と対応粘着部２０７が相互に粘着固定可能とされる。
【０００９】
図３を参照されたい。図３は本考案の実施表示図（一）である。図２と合わせて参照されたい。患者がＰＥＧ手術を終えた後、そのフィーディングチューブ１２の入口１２２は常態で患者の腹部１０の外部に露出し、また、本考案は実施時に、予め固定器１２１の周囲が一層の通気ガーゼ１５で被覆されて、フィーディングチューブ１２の挿入孔周囲の被覆が清潔に維持されて、感染が防止される。さらに、フィーディングチューブ１２の入口１２２が、経皮内視鏡的胃瘻造設口用サポートバンド２０の平面上の貫通孔２０２に通され、束帯２０１が患者の腹部１０の表面に平らに置かれ、並びに束帯２０１の両側が患者の背部に回される。さらに、図４も合わせて参照されたい。図４は本考案の実施表示図（二）であり、図３に続き、束帯２０１の両側が患者の背部に回された時、その両側の粘着部２０６と対応粘着部２０７の表面が重なり合い、相互に粘着固定される。本考案の粘着部２０６と対応粘着部２０７は、その粘着範囲が患者の胴囲サイズに応じて調整され、これにより本考案はしっかりと患者の胴部を束縛する。本考案が患者の胴部を束縛する態様は図５に示されるようであり、図５は本考案の実施表示図（三）である。図に示されるように、そのフィーディングチューブ１２は常態で、経皮内視鏡的胃瘻造設口用サポートバンド２０の貫通孔２０２外に露出し、患者が食事した時は、入口１２２に外部栄養供給装置３０、例えばフィーディングバッグ或いはフィーディングシリンジを接続し、これにより食品を入口１２２に注入し、患者の胃に進入させる。以上からわかるように、本考案は実施前に、予め固定器１２１周囲を一層のガーゼ１５で被覆した後、さらに束帯２０１を患者の腹部に装着し、ガーゼ１５を被覆して固定し、通気テープを貼り付けることなく固定でき、これにより、固定器１２１周囲の皮膚に、長期の通気テープの貼り付けによる傷害を発生させることがなく、糜爛や腫れなどの不適な状況の発生を防止できる。
【００１０】
図６を参照されたい。図６は本考案の実施表示図（四）である。図５に引き続き、フィーディングチューブ１２は常態の不使用時、管体全体が巻回され、束帯２０１の貫通孔２０２周囲に置かれ、並びに被覆部２０３で管体上方が完全に被覆され、さらにスライドファスナー２０５により閉じ合わされ、フィーディングチューブ１２が完全に被覆部２０３と束帯２０１の間に被覆されて完全な収納状態が形成される。これにより、フィーディングチューブ１２の管体が露出した状態で、外力により引っ張られて脱落する危険が有効に防止される。
【００１１】
図７を参照されたい。図７は本考案の好ましい実施例（一）である。本考案はさらに被覆部２０３に沿った平面に、順に複数の止め合わせ部２０３２（例えばボタンホール）が成形され、束帯２０１平面上の、複数の止め合わせ部２０３２に対応位置に、複数の対応止め合わせ部２０８（例えばボタン）が縫いつけられ、被覆部２０３が束帯２０１の平面を被覆する時、それぞれ止め合わせ部２０３２と対応止め合わせ部２０８の止め合わせにより、被覆部２０３が常態で束帯２０１表面に固定される。
【００１２】
図８を参照されたい。図８は本考案の好ましい実施例（二）である。図７に引き続き、本考案はまた、被覆部２０３に沿った外側に、面ファスナー２０３３を縫いつけてもよく、束帯２０１の平面上の、面ファスナー２０３３に対応位置に、対応面ファスナー２０９を縫いつける。これにより、被覆部２０３が束帯２０１平面を被覆する時、面ファスナー２０３３と対応面ファスナー２０９の結合により、被覆部２０３が常態下で束帯２０１表面に貼り付けられる。
【００１３】
上述したように、本考案は実施後に、被覆部と束帯表面の間に、収容空間が形成され、フィーディングチューブの管体を巻いて収容空間内部に収容でき、並びに被覆部でフィーディングチューブの管体全体を被覆することができ、確実に、フィーディングチューブの引っ張りによる脱落を防止できる経皮内視鏡的胃瘻造設口用サポートバンドである。
【符号の説明】
【００１４】
１０  腹部
１１  穿孔                    １２  フィーディングチューブ
１３  胃部                    １２１  固定器
１４  通気テープ              １２１’固定器
１５  ガーゼ                  １２２  入口
２０  経皮内視鏡的胃瘻造設口用サポートバンド
２０１  束帯                  ２０２  貫通孔
２０３  被覆部                ２０４  対応スライドファスナー部
２０３１  スライドファスナー部        ２０６  粘着部
２０３２  止め合わせ部                ２０８  対応止め合わせ部
２０３３  面ファスナー
２０５  スライドファスナー
２０７  対応粘着部
２０９  対応面ファスナー
【図１】
0003161653.tif 000003
【図２】
0003161653.tif 000004
【図３】
0003161653.tif 000005
【図４】
0003161653.tif 000006
【図５】
0003161653.tif 000007
【図６】
0003161653.tif 000008
【図７】
0003161653.tif 000009
【図８】
0003161653.tif 000010